Podtech/llm-jp-corpus-v4-ja_patent huggingface dataset:
(57)【要約】【課題】  乳幼児や高齢者等、体温計測装置を自ら操作困難な被計測者に対して長時間の体温計測を行いその推移を看護者に伝達して健康状態の常時監視を行うことが困難であった。【解決手段】長時間の計測でも被計測者の運動や健康を比較的害するおそれのない指先や身体表面等の部位に設置する心拍数計測装置を備えた生体情報計測部と、得られた心拍数の推移から身体深部の体温を推測する計算処理部から構成されることを特徴とする。【選択図】図１
2016150084.tif 000002
【特許請求の範囲】
【請求項１】
長時間装着しても被計測者の生活を妨げたり損傷の恐れのより少ない任意の部位に設置された心拍数計測装置を備えた生体情報計測部と、得られた心拍数から計算により身体深部の体温を推測し表示装置や通信装置等外部装置へ受け渡す計算処理部から構成される体温監視方式。
【請求項２】
上記の生体情報計測部が活動量計測装置を備えていれば、心拍数から推測した体温に対して、活動量の計測値の変異による心拍数への影響を考慮して体温の推測値を補正したり除外する等により監視の精度を高める体温監視方式。
【発明の詳細な説明】
【技術分野】
【０００１】
本発明は、心拍数を利用して体温を推測する体温監視方式に関するものである。
【背景技術】
【０００２】
任意の時間における体温を計測する場合、なるべく体内に近い腋窩や口腔、耳等に体温計測器のセンサー部を設置して計測し、得られた温度から体温を推測している。
【０００３】
体温を長期間の時間帯で自動的に計測して記録および変化を監視する場合、計測対象者の運動を妨げたり身体への損傷を与えないようにするため比較的身体表面に近い部分で計測を行う方式が存在する。
【０００４】
体温以外の生体情報である心拍数や活動量等は体表面においての測定が可能であるため計測対象者の生活を妨げたり身体を損傷することなく長期の時間帯で自動的に計測し記録および推移の監視を行う装置は広く普及しており安価かつ容易に入手可能である。
【０００５】
発熱時において酸素需要が増大することにより心拍数との相関関係が認められている。
例えば体温３７度以上でおよそ心拍数の増加１０あたり体温０．５度上昇という相関関係がある。
【発明の概要】
【発明が解決しようとする課題】
【０００６】
体温を測定する方法として一般に腋窩や口腔、耳等、体内に近い身体の部位に体温計などの温度測定装置を一定期間固定して接触させて計測する必要があるが、乳幼児や高齢者等、自らが容易に計測装置を操作できない場合は看護者がこれを操作する必要があるため長時間連続して体温を測定することは困難であった。
また看護者が計測に付き添わない場合、身体の深部に計測装置を長時間固定すると同様に被計測者が装置を管理する能力がない場合は長時間の接触により身体への損傷をきたすおそれが高い。
あるいは身体の表面において長期間の温度を計測し監視する装置は存在するが、身体深部の体温とは大きく異なる温度しか得られず、また一般に普及していない。
これらの理由から体温計測装置を自ら操作困難な被計測者に対して長時間の体温計測を行いその推移による健康状態の常時監視を行うことは困難であった。
【課題を解決するための手段】
【０００７】
本発明は、長時間の計測でも被計測者の運動や健康を比較的害するおそれのない指先や腕等、身体の先端あるいは表面等の部位に設置する心拍数測定装置および活動量測定装置他の生体情報計測装置、あるいは心拍数計測装置のみを備えた生体情報計測部と、
それらの装置より有線または無線により伝達された心拍数のみあるいは他の生体情報値も利用しあわせて計算により身体の深部体温を推測する計算処理部からなる構成を特徴とする。
【発明の効果】
【０００８】
本発明の体温監視方式は、指や腕等の長時間身体に装着しても害の少ない部位に装着可能な生体情報計測部の心拍数計測装置から得た心拍数と心拍と体温の相関関係から体温を推測し、その際に活動量計測装置を備えていれば活動量の変異から運動による心拍数への影響を考慮して補正あるいは除外し、さらに温度計測装置等、その他の生体情報の計測可能な装置を備えていればそれらも合わせて補正に利用することにより、身体深部の体温の推測の精度をより高めることができるため発熱を検出する等の健康管理を目的とした長時間における体温の常時監視が可能となる効果がある。
【図面の簡単な説明】
【０００９】
【図１】図１は体温監視方式の実施方法を示した説明図である。（実施例１）
【発明を実施するための形態】
【００１０】
身体の先端部や表面等、被計測者の生活を妨げたり損傷のおそれのより少ない任意の部位に設置される心拍数計測装置を備えた生体情報計測部と、得られた心拍数から計算により体温を推測し表示装置や通信装置等、外部装置へ受け渡す計算処理部から構成される。
【実施例１】
【００１１】
被計測者の生活を妨げないために腕に装着する生体情報計測部（１）において心拍計測装置により心拍数の計測を行い、短距離通信（４）により計算処理部（２）へ計測値を伝達する。
計算処理部（２）において数式２から体温を推測し、推測された体温の推移の表示を行ったり、あるいは広域通信網への通信（５）により遠隔地にいる看護者へ体温の推測値の推移を伝達する。
【００１２】
生体情報計測部（１）が活動量計測装置を備えている場合には活動量を短距離通信（３）により計算処理部（２）に伝達する。
活動量が高い場合は健康であっても心拍数が高くなるため、数式２から推測された体温上昇値から活動量による上昇を考慮して補正あるいはその時間帯の計測値を除外することにより異常発熱の検出の精度を向上することができる。
【００１３】
発熱時の心拍数Ｐと体温Ｔとの相関関係の代表的な例として数式１にあらわす。
体温Ｔを心拍数Ｐの関数として数式１から導かれる数式２であらわす。本発明はこれにより主に心拍数の計測値から体温を推測可能とすることを特徴とする。
なお、実装する際にはそれまでに集積された心拍数や体温の実測値およびその他の生体情報値から必要に応じて各係数の補正や数式の改変を行うものとする。
【００１４】
【数１】
2016150084.tif 000003
【００１５】
【数２】
2016150084.tif 000004
【００１６】
上記の数式において、Ｐ０は計測初期あるいは平常時の心拍数、Ｔ０は計測初期あるいは平常時の体温、λpは心拍数の変動係数、λtは体温の変動係数である。
【符号の説明】
【００１７】
１    生体情報計測部
２    計算処理部
３    身体の一部
４    短距離通信
５    広域通信網への通信
【図１】
2016150084.tif 000005
(57)【要約】      （修正有）【課題】非常に壊れやすく保管や取り扱いが困難である植物標本や動物標本の保管方法の提供。【解決手段】動植物組織にセルロースナノファイバー溶液を表面に塗り含ませるまたは、セルロースナノファイバー溶液に漬けて含ませる又は、セルロースナノファイバー溶液を吸わせて含ませる処理を施すことで動植物組織を強固なものとする植物及び動物標本の保管の為の補強方法。【選択図】なし【特許請求の範囲】
【請求項１】
セルロースナノファイバーを含ませた動植物組織。
【発明の詳細な説明】
【技術分野】
【０００１】本発明はセルロースナノファイバーを動植物組織に含ませ補強したものである。
【背景技術】
【０００２】従来は、動植物組織を補強する方法として高分子ポリマー樹脂等を表面に塗るか含侵することにより補強していたが、動植物組織にセルロースナノファイバーを含ませ補強する手段を用いた技術はなかった。
【先行技術文献】
【特許文献】
【０００３】
【特許文献１】特開２００１−３２４０２号公報
【特許文献２】特解平７−４８２０１号公報
【発明の概要】
【発明が解決しようとする課題】
【０００４】花や葉等の植物標本やウニや節足動物等の動物標本は非常に壊れやすく保管や取り扱いが困難であるという難点があった。本発明は、この課題を解消するためのものである。
【課題を解決するための手段】
【０００５】動植物組織は水分を含んだもの又は、乾燥したものを問わずセルロースナノファイバーの溶液を表面に塗る又はセルロースナノファイバー溶液に漬ける又はセルロースナノファイバー溶液を吸わせる等の処理を施したものである。
【発明の効果】
【０００６】従来は、壊れやすかったドライフラワーや乾燥したウニの標本等にセルロースナノファイバー溶液を含ませたもの又は生花にセルロースナノファイバー溶液を吸わせ含ませたものやセルロースナノファイバー溶液を混ぜた動植物の液侵標本を自然乾燥又は真空凍結乾燥などにより脱水または乾燥することにより石のように硬く強靭な標本となり取り扱いが容易となった。
【発明を実施するための形態】
【０００７】  真空凍結乾燥法により乾燥させたドライフラワーにセルロースナノファイバーの０．１％水溶液を浸み込ませ再び凍結し真空凍結乾燥処理により乾燥させたところ容易には割れない非常に強固なドライフラワーとなった。
【実施例１】カトレヤの生花にセルロースナノファイバーの０．１％水溶液を生花の茎より数日間吸わせ凍結後に真空凍結乾燥法により乾燥させたカトレヤは実施例１で得たドライフラワーと同様に非常に強固なドライフラワーとなった。【０００８】非常にもろい性質のクジラの頭骨の表面にセルロースナノファイバーの０．１％水溶液を塗りセルロースナノファイバー水溶液を含ませた頭骨を自然乾燥したところ非常に強固なものとなった
【実施例２】
【０００９】細く非常に折れやすいウニの１種ガンガゼの棘を数日間セルロースナノファイバーの０．１％水溶液に漬けた後に軽く水洗して自然乾燥したところ容易には折れない強固なものになった。
【実施例３】
【産業上の利用可能性】
【００１０】本発明は大学や博物館等で保管されている動植物標本を強固なものにして保管や取り扱いを容易にするものである。更にドライフラワーのような装飾用の動植物組織を強固なものにし保管を容易にするものであり、その用途は幅広いものである。
(57)【要約】      （修正有）【課題】プレゼンテーションのビジュアルな構成を書籍に援用し，プレゼンテーション機能を反映した書籍を提供する。【解決手段】プレゼンテーションのスライド画面とその説明を書籍の左右見開きに配置し，ビジュアルな図表とその説明文字を，同時に可視化する。また、「プレゼンテーションブック」に，パソコン等で再生可能なプレゼンテーションファイルをＤＶＤ等の記憶媒体で附属し，その読み上げ機能で自動再生できるようにする。【選択図】図１
2016150585.tif 000002
【特許請求の範囲】
【請求項１】
書籍の構成として，プレゼンテーションのスライド図表とその説明を見開きで配置し，ビジュアルな図表とその説明を同時に可視化することを特徴とする「プレゼンテーションブック」。
【請求項２】
前記「プレゼンテーションブック」は、プレゼンテーションをスライド図表とその説明を見開きで配置することを特徴とする請求項１記載の「プレゼンテーションブック」。
【請求項３】
前記「プレゼンテーションブック」には，パソコン等で再生可能なプレゼンテーションファイルをＤＶＤ等の記憶媒体で附属し，その読み上げ機能で自動再生できることを特徴とする請求項２記載の「プレゼンテーションブック」。
【発明の詳細な説明】
【技術分野】
【０００１】  この発明は、各所で行われているプレゼンテーションを書籍として再構成することによって，スライドと説明文章を左右見開きページに配置し，同時に可視化すること可能とする書籍の構成に関する。
【背景技術】
【０００２】  プレゼンテーションソフト（マイクロソフト・パワーポイント等）は，説明すべき内容を，図表等を用いて可視化し，視聴者にビジュアルを通した理解を促す機能を有している。また，プレゼンテーションソフトには，読み上げ機能が付加され，プレゼンテーションのスライド展開とその説明の読み上げまで，自動再生する機能を有している。
書籍は，読者が手に取り，いつでも，どこでも，読者のペースで理解しながら読み進める機能を有する。
【発明の開示】
【発明が解決しようとする課題】
【０００３】  優れた講義や講演が各所で行われている。特にプレゼンテーションソフトが進化し，ビジュアルで機能的に知識や情報の構成や価値をコンパクト説明する分かりやすい講義や講演が実施されている。しかし，プレゼンテーションソフトを用いた講義や講演の対象は，その講義の受講者等の視聴者に限られる。
一方，不特定多数の人に情報を伝達する書籍は，いつでもどこでも手にとって読むことができるという汎化性に優れているが，文字情報を中心に構成され，多くの情報や複雑な構成概念を構造的に説明することが難しい。
そこで，プレゼンテーションのビジュアルな構成を書籍に援用し，プレゼンテーション機能を反映した書籍を開発することを課題とする。
【課題を解決するための手段】
【０００４】  以上の課題を解決するために、第一発明はプレゼンテーションのスライド画面とその説明を書籍の左右見開きに配置したことである。そのことにより，プレゼンテーションのビジュアルな構成による説明力と書籍の不特定多数の人に広く伝達する汎化性を高めるという、２つの機能を組み合わせたことである。
また、第二発明は、「プレゼンテーションブック」に，パソコン等で再生可能なプレゼンテーションファイルをＤＶＤ等の記憶媒体で附属し，その読み上げ機能で自動再生できるようにしたことである。
【発明の効果】
【０００５】  第一発明によれば、プレゼンテーションのスライド画面とその説明を左右見開きで配置することにより，複雑な事象や概念をビジュアルに説明するプレゼンテーション機能を書籍に反映することを可能にする。このことにより，プレゼンテーションの説明力と書籍の汎化性の両機能を備えたビジュアルな書籍とすることを可能にする。
第二発明によれば，「プレゼンテーションブック」に，パソコン等で再生可能なプレゼンテーションファイルをＤＶＤ等の記憶媒体で附属し，その読み上げ機能で自動再生できるようにする。そのことにより，個人や集団で視聴し，学習や研修等で活用することを可能にする。
【発明を実施するための最良の形態】
【０００６】  第一発明の一実施形態を図１に示す。
プレゼンテーションのスライド画面とその説明を見開き左右ページに配置し，ビジュアルな図表とその説明文字を，同時に可視化することを実現する。
第二発明については、「プレゼンテーションブック」に，パソコン等で再生可能なプレゼンテーションファイルをＤＶＤ等の記憶媒体で附属し，その読み上げ機能で自動再生できるようにする。そのことにより，講義や講演のプレゼンテーションを個人や集団で視聴し，学習や研修等で活用することを実現する。【０００７】「実施形態の効果」
第一発明の実施形態によれば、優れた講演や講義の効果は，参加した視聴者のみに限定されるというこれまでの限界を超え，広く書籍を通して汎化することを実現する（図１）。【０００８】「他の実施形態」
第二発明では、優れた講演や講義を附属したプレゼンテーションファイル（ＤＶＤ等）を活用して，個人に限らず学校や企業等の学習や研修で汎化することを可能にする。そのときにプレゼンテーションソフトに組み込まれた読み上げ機能を活用し，集団での学習や研修を機能的に実現する。
【図面の簡単な説明】
【０００９】
【図１】第一発明の一実施形態を示す図である。
【符号の説明】
【００１０】１  プレゼンテーション図表（スライド）の説明
２  プレゼンテーション図表（スライド）
【図１】
2016150585.tif 000003
(57)【要約】      （修正有）【課題】対象物を傷める事無く着脱する事のできる粘着性ブックカバーおよび作成用プログラムを提供する。【解決手段】再剥離可能な弱粘性の接着剤を一部分、または全面に塗布したシート状の印刷可能な基材に、対象に貼る際に利用できるスリット及び型抜きによる切込みを入れ、台紙部分に方眼状の印刷や目盛りを表示し、加工や装着を容易にし、本の装着時の基準点（本の上下端部、背表紙位置等）を決め、家庭用の情報端末や携帯情報端末を使い好きな画像や写真を編集、加工、文字入力（フォントや色変更も含む）を家庭用印刷機器（レーザープリンタ・インクジェットプリンタ等）で行ったブックカバーおよび作成用プログラム。【選択図】図２
2016022734.tif 000002
【特許請求の範囲】
【請求項１】
四辺の一辺が連結していて、それを軸に開閉できる物（例としては本やＤＶＤ・ゲームソフトのケース等）に対して使用する、再剥離可能な弱粘性の接着剤を一部分、または全面に塗布したシート状の印刷可能な基材（図１）。
【請求項２】
対象に貼る際に利用できるスリット及び型抜きによる切込みを入れる。また、台紙部分に方眼状の印刷や目盛りを表示し加工や装着を容易にしたブックカバー用基材。
【請求項３】
スリット位置や型抜きの位置に、本の装着時の基準点（本の上下端部、背表紙位置等）を決め基材とプログラム位置合わせる事ができ（図２）、家庭用の情報端末や携帯情報端末を使い好きな画像や写真を編集、加工、文字入力（フォントや色変更も含む）ができ、家庭用印刷機器（レーザープリンタ・インクジェットプリンタ等）で（請求項１）と連動してブックカバーを作成できるプログラム。
【請求項４】
請求項１の基材に対して請求項２の加工、請求項３のプログラムのいずれか、または複数を組み合わせたブックカバー。
【発明の詳細な説明】
【技術分野】
【０００１】本発明は好きな画像を家庭で加工や印刷ができ、本を傷めず容易に貼って剥がせるブックカバーに関するものである。
【背景技術】
【０００２】従来からある透明の粘着性ブックカバーは多数存在しているが、再剥離が不可能の物で基材に印刷ができるタイプの物がなかった。【０００３】書店等本を購入時にかけてくれるような紙製のブックカバーは存在するが、様々な形に対応するために余分な部分があり、読書時の使用感が悪くなっている。
【発明の概要】
【０００４】解決しようとする問題点は従来の粘着性カバーでは再剥離できない、もしくは剥離の際に本自体を傷めてしまう事にある。
【０００５】市販されているブックカバーは、ある程度いろいろな大きさの本に対応させるためサイズに余裕をもって作成されており、それによって読書時のズレや浮上りなど使用感の悪さを感じる。
【０００６】また、図書館等で使われているフィルムは透明なものが主であり、本の題名や表裏紙絵を第三者に見られたくない時の仕様にはむかない。
【０００７】書店等で本を購入の際に装着してくれるカバーは、その書店の名前が入った物が多く市販の紙・布・革製のブックカバーも柄が決まった物が大半で選択肢が限られてしまっていた。
【０００８】印刷された紙をカバーに使う際、背表紙や折り返しの位置が合わせにくく装着時にズレがおきる事が多く不便を感じる。
【問題の解決手段】
【０００９】上記課題の解決策として、［請求項１］にある、何度も脱着しても本を傷める事の無い様に再剥離可能な弱粘性の基材を使用する。
【００１０】情報端末（パソコンやスマートフォン）と印刷機器（家庭用・業務用など問わない、レーザーやインクジェットプリント等）に対応させる事により誰でも自宅等で作成することができる。
【００１１】［請求項１］基材と［請求項２］の加工、［請求項３］プログラムを組み合わせる事により、装着する本のサイズを入力（例として本の縦・横・背の厚さ）する事により（図４）異なる本のサイズに合わせたブックカバーが作成でき、貼り付け開始位置や、背表紙の位置にスリットや型抜きの位置を合わせる事により装着がより簡易にできる。（図貼り付け）
【００１２】また、上記のプログラムには表裏表紙・背表紙にサイズ・色・フォント変更ができる文字入力機能を持たせることにより、タイトルの有無や判別のしやすさなどを利用者が選べるようになる。情報端末（例・パソコンやスマートフォン等）を利用してインターネットを介して保存した画像やデジタルカメラ等から取り込んだ画像・写真をブックカバーの柄として使用できる。
【発明の効果】
【００１３】様々な情報端末を通して好きな画像を貼り付けられ、対象の本やＤＶＤケース等のサイズに合わせたカバーを印刷でき、なおかつ取り付け易く、必要がなくなった時は貼りつけた対象を傷める事無く容易に取り外せるブックカバーを提供できる。
【図面の簡単な説明】
【００１４】
【図１】３層からなる基材の構成図
【図２】ブックカバー装着時、装着をより容易にするための基材のスリットとプログラムで印刷した背表紙の端が揃っている図例
【図３】セパレートシート（台紙）にスリットを入れ、方眼状の印刷をした図例
【図４】本のヨコ（Ａ）、タテ（Ｂ）、背（Ｃ）の長さの説明図  上記の入力により、印刷を合せる。
【発明を実地するための形態】
【実地例１】
【００１５】発明の実施の形態を、図面元に説明する。
（図１）のような粘着性シートの糊を再剥離可能な弱粘性の糊を使用する事により再剥離を可能とする。
また、取り付けの手間や取り付けの際のズレ防止の為［請求項２］にある基材のスリット・型抜き等の加工をする。
上記に加えて専用のプログラムを付随させる事により図２のようにスリット位置に背表紙の位置を合わせ取り付けやすくする。
【図１】
2016022734.tif 000003
【図２】
2016022734.tif 000004
【図３】
2016022734.tif 000005
【図４】
2016022734.tif 000006
(57)【要約】【課題】外掃きはゴミと一緒に砂や土も混入してしまい分別することが不可能だった。    本発明は捨てるゴミと砂や土を分別するためのチリトリ具を提供する。【解決手段】チリトリ本体にはゴミ収納部を設け、ゴミ収納部の底部後端部に複数の切欠溝を設けて、切欠溝より砂や土等を払い落すようにした砂・土の分別チリトリ具。【選択図】図１
2016022474.tif 000002
【特許請求の範囲】
【請求項１】
チリトリ本体にはゴミ収納部を設け、ゴミ収納部の底部後端部に複数の切欠溝を設けて、切欠溝より砂や土等を払い落すようにした砂・土の分別チリトリ具。
【発明の詳細な説明】
【技術分野】
【０００１】  本発明は、ゴミと混ざった砂や土を分別できるチリトリに関するものである。
【背景技術】
【０００２】  従来は掃き掃除後に手を使いゴミを捨て、その後に残った砂や土を捨てるというものです。
【発明の概要】
【発明の解決しようとする課題】
【０００３】  外掃きは、砂や土が混入してしまい、一緒にゴミ箱へ入れてしまうので、砂や土をほかのごみと分別することが不可能だった。
【課題を解決するための手段】
【０００４】  外掃き掃除後にゴミ収納部に入った砂や土を他のゴミと分別するため、チリトリの背面部にある複数の縦長の切欠溝よりゴミを捨てることができる。  以上の構成よりなる砂や土を他のゴミと分別するチリトリ具。
【発明の効果】
【０００５】  外掃き掃除後に手を汚さず砂や土を分別し残ったゴミをゴミ箱へ捨てることができるので、環境にも配慮したチリトリ具である。
【図面の簡単な説明】
【０００６】
【図１】本発明の使用状態を示す斜視図。
【図２】本発明の背面図。
【図３】ゴミをチリトリに集めた状態の図。
【発明を実施するための形態】
【０００７】  以下、本発明の実施の形態を説明する。（イ）ゴミや砂や土（９）を取り入れるゴミ収納部（５）を設ける。（ロ）ゴミを払い落とすための取っ手（２）をゴミ収納部（５）の上部に設ける。（ハ）チリトリのゴミ収納部（５）の後端のチリトリ底面（６）に複数の切欠溝（７）を設ける。（ニ）ゴミ収納部（５）の後端にある複数の切欠溝（７）は縦長に設け、切欠溝（７）から砂や土を落下させる。（ホ）切欠溝（７）の幅は砂や土が払い落とされる０．５ｃｍ程度の寸法に設ける。  本発明は以上の構造である。  本発明を使用するときは、ゴミと一緒に集められた砂や土は一旦内側のゴミ収納部（３）へ集められ、ゴミと砂・土を分けるためチリトリの取っ手（２）を持ってチリトリ全体を持ち上げて、切欠溝（７）を下方にして、チリトリ本体を振ることによってチリトリの内底（４）にあるゴミはそのままゴミ収納部（３）の内側に残り、縦長の複数の切欠溝（７）より砂や土が払い落とされて手を汚さずゴミの分別ができる。
【符号の説明】
【０００８】１．    砂・土を払い落としている手  ２．チリトリの取っ手３．内側のゴミ収納部  ４．チリトリの内底  ５．ゴミ収納部６．チリトリの底面  ７．切欠溝  ８．砂や土
【図１】
2016022474.tif 000003
【図２】
2016022474.tif 000004
【図３】
2016022474.tif 000005
(57)【要約】【課題】薬を毎日食前もしくは、食後に服用している人は多いが、外出先で薬を服用するには、わざわざピルケースを常時携帯する必要があり不便であった。【解決手段】財布に入る程度にピルケースを小型化し、ピルケースを財布の中に入れる事により、ピルケースの携帯忘れを防ぎ、薬の飲み忘れを防ぐ事を特徴とするピルケース。【選択図】図２
2016022364.tif 000002
【特許請求の範囲】
【請求項１】
ケース（１）とスライド式の蓋（２）より構成されているピルケースであり、蓋（２）でケース（１）をラップ代８ｍｍから２５ｍｍ程度挟み込み、固定する構造（１１）を有する事を特徴とする財布に入れ携帯性を改善したピルケース。
【発明の詳細な説明】
【技術分野】
【０００１】  本発明は、小型化し財布に入る構造にする事により、持ち運びを容易にしたピルケースに関するものである。
【背景技術】
【０００２】多くの薬（例えは、血圧降下剤）は、毎日食前もしくは、食後に飲む必要があり、その為、外出時には、わざわざピルケースをポケットもしくは、カバンに携帯する必要があった。
【先行技術文献】
【０００３】
【特許文献１】特許公開平１１−２５３５３１
【発明の概要】
【発明が解決しようとする課題】
【０００４】特許公開平１１−２５３５３１のようにピルケース自体の使い勝手を改善する特許は申請されているが。ピルケース自体の携帯を容易にする特許は、申請されていない。
外出時、財布（定期入れ）の他にわざわざピルケースをポケット等に入れて携帯する事は、ピルケースの携帯を忘れる原因であるだけでなく、ピルケースを携帯しても、ピルケースでポケットが一杯になり不便であつた。本発明は、この問題点を解決するものである。
【課題を解決するための手段】
【０００５】ケース（１）とスライド式の蓋（２）より構成されているピルケースであり、薄くする為に蓋（２）でケース（１）を挟み込む構造を有する事を特徴とする。
以上の構成よりなるピルケース。
【発明の効果】
【０００６】財布（定期入れ）は必ず携帯するので、その財布の中にピルケースを入れる事により、ピルケースの携帯忘れを防ぎ、薬の飲み忘れを防ぐ効果がある。
【図面の簡単な説明】
【０００７】
【図１】本発明品の財布に入るピルケースの斜視図。
【図２】本発明品のピルケースを財布に入れた使用状態を示す上面よりの図。
【図３】図１中のＢ−Ｂ断面図
【発明を実施するための形態】
【０００８】以下、本発明の実施の形態を説明する。
本発明品は、２個の部品から構成されている。ケース（１）とスライド式の蓋（２）である。
ケース（１）には、薬の錠剤（３）が、収納される。蓋（２）はスライド式であるが、蓋を閉じた際、図３に示すように蓋（２）が、ケース（１）をラップ代８ｍｍから２５ｍｍ程度で挟み込み、固定する構造（コの字型、５）になっている。
ピルケースの開閉は、蓋（２）をＡの方向に動かし開閉し、また、指が入り易いように、スライド式の蓋（２）に切り欠き（６）を入れている。図２に、本発明品（８）の使用状況を示す。財布の紙幣（７）の入る部分に入れて携帯する。
【符号の説明】
【０００９】１．ケース
２．スライド式の蓋
３．錠剤
４．錠剤のケース
５．蓋を閉じた際、ケース（１）を挟み込み、固定する構造になっている部分。
６．蓋開閉の為、指が入り易いように、スライド式の蓋（２）に切り欠きを入れた部分。
７．紙幣
８．本発明品
９．財布に収納されているクレジットカード
１０．財布の皮の部分
１１．ケース（１）を固定する目的のラップ（重ねている）部分。
【図１】
2016022364.tif 000003
【図２】
2016022364.tif 000004
【図３】
2016022364.tif 000005
(57)【要約】【課題】  切るタイプは手で握ることが必要で、かなりの握力が必要であった。たたくタイプは実が砕けて、きれいに割れないことが多かったので、これを一体化させ、たたくことと刃先が丸いことで、最小の力で綺麗に割り、砕け散ることなくクルミを割ることが可能とした。【解決手段】台にクルミを置く楕円形の溝を作り、クルミの溝を固定させておくことが出来るようにする。  曲線状または円状の刃物を用いることによってクルミの湾曲した割れ目に入れやすくなり、叩き切ることになるので力が少なくて済むという利点がある。  稼働する物体は支柱を通じて一定のところに打ち下ろされ、確実にクルミを割ることが出来る。稼働する物体の重みとたたく力が加わって、少ない力で目的を達成できる。【選択図】図１
2016022361.tif 000002
【特許請求の範囲】
【請求項１】
物体に刃を固定し、強打する可動部を設ける。刃は曲線状または円状とする。クルミを置く台座を設け、台座にはクルミを置く溝を構築する。
可動部と台座は支柱もしくは凹凸を設け、挿入または蝶番で接合する方法で一体化させる。
以上を特徴とするクルミ割り器
【発明の詳細な説明】
【技術分野】
【０００１】  本発明は、硬いくるみの殻を簡単に割る器具に関するものである。
【背景技術】
【０００２】  クルミ割り器は大きく大別してはさみ状の刃先でクルミを挟んで２つに切るものと、割れ目に入れて叩き割るタイプの２種類があり、それぞれに割ることは可能である。【０００３】  しかし、いずれもかなり力が入り、破片が散るなどの問題があった。【０００４】  この改善策として、稼働する物に曲線状または円状の刃物を固定させ、台の上のクルミの割れ目に刃を当てて、たたき切ること考案した。
【発明の概要】
【発明が解決しようとする課題】
【０００５】  解決しようとする問題点は、クルミの割れ目はまっすぐではないので、はさみ状のものでは合わせるのが難しく、かなりの握力がいることである。
割るタイプではたたくだけなので、破片が散るという点と相当な力がいるということが問題である。
本発明は切ることと打撃を加えることの両方の長所を取り入れたものである。
【課題を解決するための手段】
【０００９】  本発明は、稼働する物体に曲線状または円状の刃先を固定し、台の上に置いたクルミをたたき切ることを最も主要な特徴とする。
【発明の効果】
【００１０】  曲線状または円状の刃物を用いることによってクルミの湾曲した割れ目に入れやすくなり、叩き切ることになるので大変力が少なくて済むという利点がある。
稼働する物体（以下可動部という）は支柱もしくは移動支え部（以下移動受動部という）を通じて一定のところに打ち下ろされ、確実にクルミを割ることが出来る。稼働する物体の重みとたたく力が加わって、少ない力で目的を達成できる。
【図面の簡単な説明】
【００１１】
【図１】図１はクルミ割り器の実施方法を示した説明図である。（実施例１）
【図２】図２はクルミ割り器の実施方法を示した説明図である。（実施例２）
【図３】図３は実施例２の細部の説明図である。
【図４】図４はクルミ割り器の実施方法を示した説明図である。（実施例３）
【図５】図５はクルミ割り器の実施方法を示した説明図である。（実施例４）
【発明を実施するための形態】
【００１２】  刃物は曲線、もしくは円状の物がクルミの割れ目に入れやすい。
支柱を設け刃物を付けた可動部を打ち下ろす。もしくは移動受動部を設けた台に刃を付けた可動部をはめ込み上部よりたたくようにする。
【実施例１】
【００１３】  図１は、本発明装置の実施例の立面図であって、図２から図５と同様である。【００１４】  ７は可動部の凸部で、台の凹部にはめ込むものである。３の刃の先端部５を４のクルミの実の割れ目６に差し込む。クルミを刃に差し込んだまま、７の凸部を台の凹部にはめ込み１の上を手でたたいてクルミを割る。
実施例２【００１５】  図２はスライド方式の実施例である。
１の可動部は９の移動受動部の溝を上下することによって動く。３の刃を４のクルミの割れ目に当てて、支柱に沿って降ろして行き、１を上からたたいてクルミを割る。
実施例３【００１６】図４は押切タイプの実施例である。
１の可動部を下に下して４の割れ目に当てる。そのまま固定して１の上部よりたたいてクルミを割る。
実施例４【００１７】  図５はカスタネット型の実施例である。１０の蝶番により、１と２は開くようになる。３の刃に４の割れ目を当て、そのまま１の可動部の上部をたたいてクルミを割る。
【産業上の利用の可能性】
クルミの殻は固く、特に国産くるみの和クルミの殻はことさら固く、食品としての普及が低いのが現状である。本発明の利用により、クルミの流通をはじめ食品加工の面で大いに利用される可能性がある。
【符号の説明】  １は可動部、２は台、３は刃、４はクルミの実、５は刃の先端部、６はクルミの割れ目、７は凸部移動受動部、８は可動部を支柱の溝にはめる留め具、９は支柱、１０は蝶番である。
【図１】
2016022361.tif 000003
【図２】
2016022361.tif 000004
【図３】
2016022361.tif 000005
【図４】
2016022361.tif 000006
【図５】
2016022361.tif 000007
(57)【要約】【課題】  初心者が竹馬に乗るためには、バランスに慣れる、前傾角に慣れる、高さに慣れる歩行に慣れる等々の問題があるがこれらを一つづつ別々に簡単に慣れさせるための竹馬練習具を提供する。【解決の手段】  そこで図１の様な足乗せ台を造り、最初小さい足形印の位置で平行感覚、歩行感覚を養い、つづいて足位置を少しづつ後方にづらし最後は大きい足形印にて最大前傾角を体験し、その後足乗せ台を少しづつ高かくして竹馬と同じ高さにすれば簡単に竹馬に乗ることが出来る様になることを特徴とする。【選択図】図１
2016022369.tif 000002
【特許請求の範囲】
【請求項１】
約三角形をした足乗せ台の中心にポールを通すための穴を設けこれに付随してポール保持筒を設け、この中に円周状に傾斜して鉄片を数個置き、これにより足乗せ台を上方には簡単に移動出来るが下方には鉄片がポールを挾み下降を阻止する。そしてポール穴の両脇に小さい足形印を対称に画き、長手方向には大きい足形印を画き、足乗せ台の周囲を滑り止めのわくを設置してなる、竹馬練習具
【発明の詳細な説明】
【技術分野】
【０００１】この発明は、初心者が竹馬を上手に乗りこなせる様にするための竹馬練習具に関するものである。
【背景技術】
【０００２】  竹馬は人の重心位置と竹馬の接地位置がづれると転倒してしまう。従って人の重心位置と竹馬の接地位置が同一となる様に竹馬を前傾させる必要がある。このため初心者には難しかった。
【発明の開示】
【発明が解決しようとする課題】
【０００３】  竹馬は人の重心位置と竹馬の接地位置がづれると転倒してしまう。従って人の重心位置と竹馬の接地位置が同一となる様に竹馬を前傾させる必要がある。図−３のように、この時の竹馬の足乗せ位置の地面からの長さを（ｌ）、
2016022369.tif 000003
である。従って（ｄ）は約一定であるから（ｌ）を大きくする、すなわち竹馬の足乗せ位置を高くすると（θ）は小さく、すなわち前傾角度が小さくなり安定が良くなる。一方（ｌ）が小さくすなわち竹馬の足乗せ位置が低くなると（θ）は大きく、すなわち前傾角度が大きくなり不安定となる。一般に初心者は低い足乗せ位置から初めるので（θ）が一番大きい所ですわち一番不安定な状態で初めるので上達が難しい。そこである程度の高さから初めれば（θ）が小さいので平衡が取り安いが高いので乗降りが大変で、それに万が一の時は事故につながりかねない等々、初心者には不利であった。
本発明は以上の様な欠点をなくすためになされたものである。
【課題が解決するための手段】
【０００４】  初心者がいかにして早く竹馬に乗ることが出来るかが問題である。そこで竹馬に早く慣れる、竹馬の高さに慣れる、竹馬での歩行に慣れる、等々を考慮して竹馬練具を発明した。
【発明の効果】
【０００５】  初心者が案心して乗り初められる様に図−４の様にポールのすぐ脇の内側に足を乗せられる様にした足乗せ台を置くと、重心の位置とポールの接地位置は横に一直線となり、前傾角（θ）は０になるので前後の平衡だけを気にするだけで良い。左右方向は足の縦横比が大略３：１なのでポールにかかる力は１／３であり且傾斜が内側に向かうので身体で受止めることも出来るのでポールの保持も簡単である。
これに慣れたら歩行に移る。通常歩行では手と足は反対に動かすが、竹馬では手と足が同時に動くのでこれに慣れる必要がある。これに慣れたら足の位置を少しづつ後方へ移動させて最後は竹馬と同じ位置で慣す。この時最大の前傾角（θ）であるが、少しづつ移動して来たので比較的に楽に乗れる様になる、そしてこれに慣れたら足乗せ台を少しづつ上方へ引上げると前傾角（θ）は次第に小さくなりより楽に乗りこなせる。
【本発明を実施するための最良の形態】
【０００６】  以下本発明を実施するための最良の形態について説明する。
図−１の様に足乗せ台はポールを中心にして左右同型なので左右の練習具を入れ替えても同じに使用出来る。図−２の断面図の様にポールを保持するための筒を設け内側にポールを中心に円周状に数個の鉄片を傾斜させて配置すると足乗せ台はポールに対して上方へは軽るく上昇するが下方へは鉄片がポールを押し包んで停止をする。図−１の約三角形をした足乗せ台は、左右同型でポールの左右には小さな足形印を、一番長手方向には大きな足形印をつける。足乗せ台の周囲には滑り止めのためのわくを設ける。本発明は以上のような構造である。
これを使用するときは、初めに内側の小さい足形印の所に足を乗せて平衡練習を重ね慣てきたら、歩行練習をする。通常歩行では手の振りと足の踏み出しは別々に行なわれるが竹馬に乗った時は手と足は同時に移動するのでこれに慣れる必要がある。その後足の位置を少しづつ後方に移動させて最後は大きい足形印の上で試行すれば前傾角（θ）が最大の所で慣れる。その後足乗せ台を少しづつ上方に移動すれば前傾角（θ）が最大の場所で慣れているので上に行く程前傾角（θ）が小さくなるので上り容易に乗りこなす事が出来る。こうして並通の竹馬と同じ高さに慣れば、竹馬も上手に乗りこなすことが出来る。
【図面の簡単な説明】
【０００７】
【図１】  本発明の平面図
【図２】  Ａ−Ａ′断面図
【図３】  解設図
【図４】  最初訓練図
【符号の説明】
【０００８】１  ポール
２  足乗せ台
３  滑り止めのわく
４  鉄片
５  大きい足形印
６  小さい足形印
７  ポールの接地位置及び重心位置
８  人間
１′  対のポール
２′  対の足乗せ台
【先行技術文献】
【特許文献】
【０００９】
【特許文献１】  特開２００９−５５９６１
【特許文献２】  特開２００７−１１７２３０
【特許文献３】  実３０８５２０８
【特許文献４】  実願昭６４−９６４
【特許文献５】  実願昭６１−４８７５４
【図１】
2016022369.tif 000004
【図２】
2016022369.tif 000005
【図３】
2016022369.tif 000006
【図４】
2016022369.tif 000007
(57)【要約】      （修正有）【課題】両手で作業中、時間の確認のため目視だけで時間の確認を可能とする。【解決手段】胸に着けるもの（名札、バッジ、ブローチ）上側に透明ケース１（デジタル時計表示画面が約３０度前方に傾いて収納する形状）を設ける構造である。デジタル時計本体の表示画面が約３０度前方に傾いていれば、直接衣服の胸部分に時計を取り付ける。胸に着けるもの上部を見れば、デジタル時計表示画面が見れることから、時間の確認ができる。【選択図】図１
2016022370.tif 000002
【特許請求の範囲】
【請求項１】
胸に着けるもの（名札、バッジ、ブローチ）に時計を取り付ける。
胸に取り付ける時計
【発明の詳細な説明】
【技術の分野】
【０００１】  この発明は、名札、バッジ、ブローチに時計をつけ、胸に身に着ける時計である。
【背景技術】
【０００２】  時計は、手首につけるものとして身に着けていた。
【先行技術文献】
省略
【特許文献】
【０００３】
【特許文献１】  特開００００−００００００号公報
【発明の概要】
【発明が解決しようとする課題】
【０００４】  これらは、次のような欠点があった。
手首に時計をつけることによって、両手で作業中時計が見れない、手首は水がかかりやすいことから防水機能を付けなければならない、時計を見る動作で相手に不快感を与える場合がある、夏季時計のベルトから悪臭が出る。
本発明は、以上のような欠点をなくすためになされたものである。
【課題を解決するための手段】
【０００５】  胸につける名札、バッジ、ブローチ上部にデジタル時計をつけたものである。
【発明の効果】
【０００６】  胸に時計が身に着くことによって、目線を胸に向けることによって時間の確認ができる。
【図面の簡単な説明】
【０００７】
【図１】  名札とバッジの斜視図である。
【図２】  名札の側面図である。
【発明を実施するための形態】
【０００８】  以下、本発明を実施するための形態について説明する。
胸に着けるもの（名札、バッジ、ブローチ）上側に透明ケース（デジタル時計表示画面が約３０度前方に傾く形状）を設ける（デジタル時計を３０度の三角柱に形成すれば直接フックで取り付け可能）構造である。
本発明は、以上のような構造である。
本発明を使用するときは、胸に着けるもの（名札、バッジ、、ブローチ）上部を見れば、デジタル時計表示画面が見れることから、時間の確認ができる。
【符号の説明】
【０００９】  １  ケース
【図１】
2016022370.tif 000003
【図２】
2016022370.tif 000004
(57)【要約】【課題】      玩具、遊技機、読み物であったゲームを、紙とペンの様な、作品を作るための道具にする、２次創作を目的としたゲームの製作方法を提供する。【解決手段】  プレイヤーが辿らなければならない物語が無く（１）、多様な表現ができる（２）ゲームの２次創作に対する許可の範囲や条件を明言（３）する事を特徴とする。【選択図】図１
2016022366.tif 000002
【特許請求の範囲】
【請求項１】
プレイヤーが辿らなければならない物語が無く（１）、多様な表現ができる（２）ゲームの２次創作に対する許可の範囲や条件を明言（３）した、２次創作を目的としたゲームの製作方法。
【発明の詳細な説明】
【技術分野】
【０００１】  この発明は、辿らなければならない物語が無く、多様な表現ができるゲームの、２次創作の条件等を公開する、２次創作を目的としたゲームの製作方法に関するものである。
【背景技術】
【０００２】  従来、ゲームは遊ぶための遊技機、玩具であった。
【先行技術文献】
【特許文献】
【特許文献】不明
【０００３】
【特許文献１】無し
【発明の概要】
【発明が解決しようとする課題】
【０００４】  これは、次のような欠点があった。
従来のゲームは、２次創作することは禁止、若しくは、その許可の範囲が明言されていないため、２次創作品の公開は憚られるものであった。
また、準備された物語を辿るため、プレイヤーが表現できる幅が狭く、２次創作品の多様さが生まれにくかった。
さらに、情報を公開する形になるため、購入意欲を無くしてしまう可能性が大きかった。
本発明は、以上のような欠点を無くすためになされたものである。
【課題を解決するための手段】
【０００５】  プレイヤーが辿らなければならない物語が無く（１）、多様な表現ができる（２）ゲームの２次創作に対する許可の範囲や条件を明言（３）する。
本発明は、以上の構成よりなる２次創作を目的としたゲームの製作方法に関するものである。
【発明の効果】
【０００６】  ２次創作の条件等が明言されているので、憚られることなく堂々と作品の公開ができるようになる。
また、辿らなければならない物語が無く、多様な表現ができることで、他者と同一の物ができにくく、プレイヤーが独自の物語を作りやすくなる。
これらの効果は、玩具、遊技機又は読み物であったゲームを、紙とペンの様な、作品を作るための道具にしてくれる。
さらに、物語や情報の取得が目的では無くなるので、情報の共有をされる事が購入意欲の低下に繋がりにくい。
【図面の簡単な説明】
【０００７】
【図１】物語の有無による効果を説明した図である。
【図２】多様な表現ができることによる効果を説明した図である。
【図３】許可や条件を明言することによる効果を説明した図である。
【発明を実施するための形態】
【０００８】  以下、本発明を実施するための形態について説明する。
プレイヤーが辿らなければならない物語が無く（１）、多様な表現ができる（２）ゲーむの２次創作に対する許可の範囲や条件を明言（３）する。
プレイヤーが辿らなければならない物語とは、ゲーム進行のために、常に必ず行わなければならない、開始から終了まで連続したイベントの事である。親玉を倒す等のクリア条件は、目的であり、終始連続もしていないので、プレイヤーが辿らなければならない物語には含まれない。
多様な表現ができる（２）ものとは、表現の幅を広げる性質のある仕掛け（４）を２つ以上含むものを指す。
表現の幅を広げる性質の有る仕掛け（４）の例として、以下ものが挙げられる。
ゲーム内の目的が無い。ゴールやクリアといったものが無い事で、プレイヤー自身が目的を作ることができる。目的の多様化。
プレイヤーキャラクターが不定である。プレイヤーが作成できたり、ランダム生成される又は時間やプレイスタイルにより、変質していく等する。投影対象の多様化。
開始地点が不定である。最初にランダムに配置される等、開始位置が決まっていない。導入の多様化。
プレイ可能な時間が有限である。キャラクターの寿命等により、１プレイの時間に限界があるもの。限られた時間での表現には限界があり、すべてを表現できないことで、１プレイごとに他の表現ができる。１プレイの多様化。
初期マップが不定である。初期のマップがランダム生成である等固定されていないもの。導入の多様化、世界の多様化。
広大なマップである。１００時間かけて探索しても、探索しきれないようなとても広いマップのもの。マップが広ければ広いだけ、辿ることができる道は多くなる。足跡の多様化。
時間経過等によるマップの変化が起こる。昼夜、季節、年代などが変わる等、マップ自体が時間により変化するもの。世界の多様化。
複雑な操作。プレイヤーは操作により、表現ができ、その操作が複雑になることで、複雑な表現が可能になる。プレイヤー表現の多様化。
以上これ等は例であり、これに限らない。
本発明は、以上のような構成である。
これを使用するときは、許可の範囲内で、プレイの録画等で２次創作品の制作・公開、販売等してもよい。
【符号の説明】
【０００９】  １  プレイヤーが辿らなければならない物語が無い
２  多様な表現ができる
３  ２次創作に対する許可の範囲や条件を明言
４  表現の幅を広げる性質の有る仕掛け
【図１】
2016022366.tif 000003
【図２】
2016022366.tif 000004
【図３】
2016022366.tif 000005
(57)【要約】【課題】スーパー等でレジ袋を沢山持ち歩く人を見掛けるが、商品が重いものが多く手で提げるのは大変である。特に高令者には大変で、両手をあけて杖、傘、手摺等につかまれる様にしたい。【解決手段】折り畳むと小さくなりポケットやお守袋に入れて常時携行出来て、必要な時にこれを使用する、そして持ち運ぶ袋の大きさや形状によって、肩に掛けるベルトの長さを変えられる様に、ベルトに簡単に取付取外しが出来る保持具を発明したので袋物の持ち方を色々と選べる袋物携帯保持具を発明した。【選択図】図１
2016022368.tif 000002
【特許請求の範囲】
【請求項１】
図２の様に、ベルトが安定するように先端部を太めにした、ａ、ｂ、ｃ、ｄ突を備えた吊下保持部と、ｅの袋物吊下部とを備えた保持具と肩に掛けるためのベルトとの組合せによる袋物携帯保持具。
【発明の詳細な説明】
【技術分野】
【０００１】  この発明は、手で提げる袋物を肩に掛けて楽に携帯出来る様にする袋物携帯保持具に関するものである。
【背景技術】
【０００２】  スーパー等では重そうなレジ袋を沢山持ち歩く人を多く見かけるが、重量が加って手で提げて持ち歩くのも大変である。そこで持手を色々と改良したものもあるが、杖、傘等を持つのが一層大変である。
【先行技術文献】
【特許文献】
【０００３】
【特許文献１】  特開２０００−２２５０１７
【特許文献２】  実３０５８３７８
【特許文献３】  実登３１２２６２３
【特許文献４】  実３１４６９０７
【発明の概要】
【発明が解決しようとする課題】
【０００４】  旅行先や買物等で袋を沢山手に提げているのを見掛ける。特にスーバー等ではレジ袋の中身はなま物、飲物、米等重量の大きいものが多くこれを手で提げるのは大変である。特に高令化の進む最近では、両手を開放して杖、傘等が持てる様にして、又階段の手摺につかまれる様にしたい。
本発明は以上の様な課題をなくすためになされたものである。
【課題を解決するための手段】
【０００５】  そこで肩に掛けられる様なベルトと、簡単にベルトに取付取外が出来ることによって、ベルトの長さを調節することが出来る保持具との組合せによる袋物携帯保持具を発明した。
なお、これは折畳めば非常に小さくなり、小さなポケットやお守袋に入れて常時持ち歩きが出来いざと云う時に取り出して使用することが可能である。
【発明の効果】
【０００６】  ベルトに保持具を簡単に取付取外が出来れば袋物の大きさや、形状等により最適なベルトの長さで袋物を保持出来る。したがって両肩にベルトをたすき掛けにしてより多くの袋物を両肩に均等に持つことも出来、特に重いものは例へば米等の場合は、ベルトを背中から両脇の下を通して両肩に掛けて背中に廻して袋物を吊り下げれば、バックパックと同じに背負う事も出来る。等々ベルトの長さを自由に変えられるから色々と使い別けが可能である。そして袋物携帯保持具自体小さく折り畳めるので小さいポケットや、お守袋等に収納していざと云う時にすぐに取り出して使用出来る。
【図面の簡単な説明】
【０００７】
【図１】袋物携帯保持具の使用中Ａ−Ａ′断面図
【図２】保持具の平面図
【発明を実施するための最良の形態】
【０００８】  以下、本発明を実施するための最良の形態について説明する。
図２保持具の平面図の様に、ベルトが安定するように先端部を太めにしたａ、ｂ、ｃ、ｄ突を備えた吊下げ保持部とｅの袋物吊下部とを備えた保持具と、肩に掛けるためのベルトとの組合せからなる袋物携帯保持具である。本発明は以上のような構成である。
これを使用する時は、図１袋物携帯保持具の使用中Ａ−Ａ′断面図の様にベルトの表側を内側に二つ折りして、ａ突に引掛けｃ、ｄ突の間を通過させて、左側のベルトをｂ突に引掛ける。こうするとベルトの表側が左側になり、袋物吊下部が右側となり見場が良くなる。そして保持具の上部に出たベルトを固定して袋物吊下部に袋を引掛けて重量が加わると、重量に比例してベルトに引張応力が働らき、右側のベルトは中側のベルトを押圧し、中側のベルトは左側のベルトを押圧し、引張応力に応じて摩擦抵抗が増大して、ベルトから保持具が抜け出すのを阻止する。その上引張応力の作用線方向が、右、中、左側ベルトで、それぞれ逆向きになるので抜け出し阻止力を増加させる。
そして袋を袋物吊下部から取外すと、加重が０となり、したがって引張応力も０となり、簡単にベルトから保持具を取外すことが出来る。その上ａ、ｂ、ｃ、ｄ突のベルト挿入方向が右からの一方向なので取付取外しも楽に出来る。
この様にベルトに保持具を簡単に取付取外が出来るので袋物の大きさや形状等によって、ベルトの長さを変えることが出来る。したがって種々のかつぎ方法が考えられる。例へば米等の重量物はベルトを背中から両脇の下を通過させて両肩の上を通過させて背中に袋をかつげばバックパックと同じに背負う事も出来る、その他首にベルトを引掛けて前方に袋を持つことも可能である。又ヤジキタ道中の様に前後にふりわけ荷物にすることも可能、また袋の両持手を両方の保持具に引掛けると袋の上部が両保持具の方向に引張れて袋の上部が自然に閉ることとなる。
又、袋物携帯保持具は折り畳むと小さくなるので、小さなポケットやお守袋等へ入れて常時携行し、いざと云う時に使用することが可能である。
【符号の説明】
【０００９】１  ａ突
２  ｂ突
３  ｃ突
４  ｄ突
５  ｅ袋物吊下部
６  ベルト
【図１】
2016022368.tif 000003
【図２】
2016022368.tif 000004